(57)【要約】【課題】簡単な構造により、入賞扉を迅速かつ確実に回動させることができ、安定して入賞扉の開閉制御を行うことができる遊技球入賞装置を提供すること。【解決手段】遊技球入賞装置１は、ケース２、入賞扉３、回転体４、レバー部材５及び制動部材を有している。入賞扉３は、入賞口２１の開閉を行う扉本体部３１と、回動の中心となる回動中心部３３と、回動中心部３３を介して扉本体部３１の形成方向とは反対方向に突出形成した球載置部３２とを有している。入賞扉３と回転体４とは、球載置部３２に載置された遊技球８が、入賞扉３を開位置から閉位置へ回動させるときに、回転体４の球接触部に接触して回転体４を回転させる連動位置関係と、球載置部３２から遊技球８が流出するときに、回転体４の回動阻止部が球載置部３２を掛止する掛止位置関係とを形成するよう構成されている。【選択図】図１
2006149799.tif 000002
【特許請求の範囲】
【請求項１】
遊技球の入賞口と、該入賞口に入った遊技球を流下させるための球通路とを形成してなるケースと、
上記入賞口の前方に向かって傾倒して該入賞口を開ける開位置と、上記入賞口を閉じる閉位置とに回動可能な入賞扉と、
上記球通路内を流下する遊技球と接触して回転し、上記入賞扉が上記閉位置と上記開位置とに回動することを制御する回転体とを有する遊技球入賞装置において、
上記入賞扉は、上記入賞口の開閉を行う扉本体部と、回動の中心となる回動中心部と、該回動中心部を介して上記扉本体部の形成方向とは反対方向に突出形成した球載置部とを有し、上記扉本体部の自重により上記開位置に回動すると共に、上記球載置部に遊技球が載置されることにより上記閉位置に回動するよう構成されており、
上記回転体は、上記球通路内を流下する遊技球と接触し当該回転体を回転させるための球接触部と、上記球載置部を掛止して上記入賞扉が上記開位置になることを阻止する回動阻止部とを有しており、
上記入賞扉と上記回転体とは、上記球載置部に載置された遊技球が、上記入賞扉を上記開位置から上記閉位置へ回動させるときに、上記回転体の上記球接触部に接触して該回転体を回転させる連動位置関係と、上記球載置部から遊技球が流出するときに、上記回転体の上記回動阻止部が上記球載置部を掛止する掛止位置関係とを形成するよう構成されていることを特徴とする遊技球入賞装置。
【請求項２】
請求項１において、上記入賞扉の後方には、上記入賞口に入った遊技球に押されて回動可能なストッパー部材が配設されており、
該ストッパー部材は、上記入賞口から上記球通路内へ入った遊技球と接触して、当該ストッパー部材を回動させるための接触カーテン部と、該接触カーテン部から前方に向けて形成されたストッパー突起とを有し、該ストッパー突起が上記開位置にある上記入賞扉の上記扉本体部と接触することにより、該入賞扉が不意に上記閉位置に回動することを防止すると共に、上記接触カーテン部に遊技球が当接することにより、後方に向けて回動し、上記ストッパー突起による上記入賞扉の回動防止状態を解除するよう構成されていることを特徴とする遊技球入賞装置。
【請求項３】
請求項１又は２において、上記遊技球入賞装置は、上方から流下する遊技球の自重を受けて回動するレバー部材と、上記回転体の回転位置を規制する制動部材とを有しており、
上記回転体は、上記レバー部材によって押圧されて、当該回転体を回転させるためのレバー接触部と、上記制動部材と接触して、当該回転体の空回りを阻止するための制動接触部とを有し、上記球接触部、上記回動阻止部、上記レバー接触部及び上記制動接触部を一体的に備えていることを特徴とする遊技球入賞装置。
【発明の詳細な説明】
【技術分野】
【０００１】
本発明は、パチンコ遊技機、アレンジボール遊技機等において、遊技盤の盤面を流下する遊技球を入賞させることができる遊技球入賞装置に関する。
【背景技術】
【０００２】
例えば、パチンコ遊技機においては、遊技者がパチンコ遊技を行う遊技盤の盤面には、開閉動作を行い、遊技球を入賞させることができる遊技球入賞装置が設けられている。この遊技球入賞装置においては、遊技球を入賞させる入賞口を開閉させる際に、入賞口の前方に向かって傾倒して入賞口を開ける前開きタイプの入賞扉が用いられている。
このような前開きタイプの入賞扉を用いた遊技球入賞装置としては、例えば、特許文献１に開示されたものがある。
【０００３】
この特許文献１の打球入賞装置は、横長な開口部を開閉する開閉扉と、開閉扉の開閉作動を制御する開閉制御部材と、外周に複数の球受け溝を有する溝車と、溝車と連動するカム車と、カム車の回転を規制し開閉制御部材によって開閉扉の開閉を行うカム回転規制機構とを設けてなる。この打球入賞装置によれば、機械的に開閉扉の開閉制御を行うことができ、電気的な制御が不要となる。
【０００４】
しかしながら、特許文献１においては、開閉扉の開閉制御を行うために、制御レバー等を有するカム回転規制機構等の複雑な機構を用いており、開閉扉の開閉制御は、制御レバーと開閉制御部材との係合動作によって行われる。そのため、打球入賞装置の構造を簡単にする更なる工夫が必要とされる。
【０００５】
【特許文献１】特公平６−３４８５０号公報
【発明の開示】
【発明が解決しようとする課題】
【０００６】
本発明は、かかる従来の問題点に鑑みてなされたもので、簡単な構造により、入賞扉を開位置から閉位置へ迅速かつ確実に回動させることができ、安定して入賞扉の開閉制御を行うことができる遊技球入賞装置を提供しようとするものである。
【課題を解決するための手段】
【０００７】
本発明は、遊技球の入賞口と、該入賞口に入った遊技球を流下させるための球通路とを形成してなるケースと、
上記入賞口の前方に向かって傾倒して該入賞口を開ける開位置と、上記入賞口を閉じる閉位置とに回動可能な入賞扉と、
上記球通路内を流下する遊技球と接触して回転し、上記入賞扉が上記閉位置と上記開位置とに回動することを制御する回転体とを有する遊技球入賞装置において、
上記入賞扉は、上記入賞口の開閉を行う扉本体部と、回動の中心となる回動中心部と、該回動中心部を介して上記扉本体部の形成方向とは反対方向に突出形成した球載置部とを有し、上記扉本体部の自重により上記開位置に回動すると共に、上記球載置部に遊技球が載置されることにより上記閉位置に回動するよう構成されており、
上記回転体は、上記球通路内を流下する遊技球と接触し当該回転体を回転させるための球接触部と、上記球載置部を掛止して上記入賞扉が上記開位置になることを阻止する回動阻止部とを有しており、
上記入賞扉と上記回転体とは、上記球載置部に載置された遊技球が、上記入賞扉を上記開位置から上記閉位置へ回動させるときに、上記回転体の上記球接触部に接触して該回転体を回転させる連動位置関係と、上記球載置部から遊技球が流出するときに、上記回転体の上記回動阻止部が上記球載置部を掛止する掛止位置関係とを形成するよう構成されていることを特徴とする遊技球入賞装置にある（請求項１）。
【０００８】
本発明の遊技球入賞装置は、入賞口の前方に向かって傾倒して入賞口を開ける前開きタイプの入賞扉を備えたものであり、この入賞扉と上記回転体の構造に工夫をしている。
すなわち、上記入賞扉は、上記扉本体部の形成方向とは反対方向に突出形成した球載置部を有しており、上記回転体は、球載置部を掛止して、入賞扉が開位置になることを阻止する回動阻止部を有している。また、回転体は、その球接触部が、球載置部を回動させる遊技球と接触することにより、回転するよう構成されている。
【０００９】
そして、遊技球入賞装置は、入賞扉と回転体とを、上記連動位置関係と上記掛止位置関係との各位置関係を形成できる状態に配設している。
すなわち、開位置にある入賞扉の扉本体部の上に流下し、入賞口から球通路内に入った遊技球は、入賞扉の扉本体部から球載置部に向かって流下する。そして、この遊技球が球載置部の上まで流下すると、入賞扉は、球載置部に載置された遊技球の自重により、回動中心部を中心にして開位置から閉位置へと回動する。このとき、入賞扉と回転体とは上記連動位置関係を形成しており、球載置部に載置された遊技球が、回転体の球接触部に接触してこの回転体を回転させる。
【００１０】
そして、入賞口へ１回又は２回以上遊技球が入り、回転体が所定の角度回転した後、入賞扉が閉位置に回動した状態で、球載置部に載置された遊技球が流出されるときには、上記掛止位置関係が形成され、回転体の回動阻止部が球載置部を掛止する。そして、入賞扉が閉位置に維持される。
【００１１】
このように、入賞扉の球載置部に載置された遊技球は、入賞扉を開位置から閉位置に回動させると同時に、回転体を回転させることができる。また、回転体の回動阻止部は、上記遊技球により入賞扉が閉位置に回動されている時間を利用して、瞬時に入賞扉の球載置部を掛止することができる。
【００１２】
そのため、上記遊技球入賞装置は、上記入賞扉と回転体とが上記連動位置関係と上記掛止位置関係とを形成することにより、入賞扉を開位置から閉位置へ迅速かつ確実に回動させることができ、安定して入賞扉の開閉動作を行うことができる。
また、回転体の回動阻止部は、球通路内を流下する遊技球を載置して流下させる機能を有する球載置部を、直接掛止することができる。そのため、入賞扉及び回転体の構造を簡単にすることができる。
【００１３】
なお、入賞扉をその扉本体部の自重により閉位置から開位置へ回動させる動作は、例えば、遊技機における何らかの役物に入賞した遊技球を利用して、回転体を所定の角度回転させることにより、回動阻止部による球載置部の掛止状態を解除して行うことができる。
【００１４】
それ故、本発明の遊技球入賞装置によれば、簡単な構造により、入賞扉を開位置から閉位置へ迅速かつ確実に回動させることができ、安定して入賞扉の開閉制御を行うことができる。
【発明を実施するための最良の形態】
【００１５】
上述した本発明における好ましい実施の形態につき説明する。
本発明において、上記回転体には、複数の上記球接触部を形成しておくことができる。そして、各球接触部に遊技球が１つずつ接触する毎に所定の角度ずつ回転体を回転させ、回転体の回転位置が所定の位置になったときにはじめて、回転体の回動阻止部が入賞扉の球載置部を掛止するよう構成することができる。
【００１６】
また、上記入賞扉の後方には、上記入賞口に入った遊技球に押されて回動可能なストッパー部材が配設されており、該ストッパー部材は、上記入賞口から上記球通路内へ入った遊技球と接触して、当該ストッパー部材を回動させるための接触カーテン部と、該接触カーテン部から前方に向けて形成されたストッパー突起とを有し、該ストッパー突起が上記開位置にある上記入賞扉の上記扉本体部と接触することにより、該入賞扉が不意に上記閉位置に回動することを防止すると共に、上記接触カーテン部に遊技球が当接することにより、後方に向けて回動し、上記ストッパー突起による上記入賞扉の回動防止状態を解除するよう構成されていることが好ましい（請求項２）。
【００１７】
この場合には、上記ストッパー部材により、開状態にある入賞扉の扉本体部の上に遊技球が流下したとき、不意に入賞扉が開位置から閉位置へ回動してしまうことを防止することができ、入賞扉の開閉制御を一層安定させることができる。
また、上記接触カーテン部は、上記入賞口から上記球通路内に入った遊技球が、上記入賞扉の上記球載置部へ流下するまでの間、常に接触しているよう構成することが好ましい。
【００１８】
また、上記遊技球入賞装置は、上方から流下する遊技球の自重を受けて回動するレバー部材と、上記回転体の回転位置を規制する制動部材とを有しており、上記回転体は、上記レバー部材によって押圧されて、当該回転体を回転させるためのレバー接触部と、上記制動部材と接触して、当該回転体の空回りを阻止するための制動接触部とを有し、上記球接触部、上記回動阻止部、上記レバー接触部及び上記制動接触部を一体的に備えていることが好ましい（請求項３）。
【００１９】
この場合には、回転体に球接触部、回動阻止部、レバー接触部及び制動接触部を一体的に形成したことにより、遊技球入賞装置における部品点数を減らして、その構造を一層簡単にすることができる。
また、この場合には、上記レバー部材が上記回転体のレバー接触部を押圧することにより、回転体が回転し、上記回動阻止部が球載置部を掛止する状態が解除されて、上記入賞扉を閉位置から開位置へ回動させることができる。
【実施例】
【００２０】
以下に、本発明の遊技球入賞装置にかかる実施例につき、図面と共に説明する。
本例の遊技球入賞装置１は、図１〜図１１に示すごとく、以下のケース２、入賞扉３、回転体４、レバー部材５及び制動部材６等を有している。
上記ケース２は、遊技球８の入賞口２１と、この入賞口２１に入った遊技球８を流下させるための球通路２２とを形成してなる。上記入賞扉３は、入賞口２１の前方に向かって傾倒して入賞口２１を開ける開位置３０２と、入賞口２１を閉じる閉位置３０１とに回動可能に構成されている。上記回転体４は、球通路２２内を流下する遊技球８と接触して回転し、入賞扉３が閉位置３０１と開位置３０２とに回動することを制御するよう構成されている。上記レバー部材５は、入賞扉３の後方に配設されており、上方から流下する遊技球８（図８参照）の自重を受けて回動するよう構成されている。上記制動部材６は、回転体４と接触して、回転体４の回転位置を規制するよう構成されている。
【００２１】
上記入賞扉３は、図１、図５、図１０に示すごとく、入賞口２１の開閉を行う扉本体部３１と、回動の中心となる回動中心部３３と、回動中心部３３を介して扉本体部３１の形成方向とは反対方向に突出形成した球載置部３２とを有している。そして、入賞扉３は、図２に示すごとく、扉本体部３１の自重により開位置３０２に回動すると共に、図１に示すごとく、球載置部３２に遊技球８が載置されることにより閉位置３０１に回動するよう構成されている。
上記回転体４は、図５〜図７に示すごとく、球通路２２内を流下する遊技球８と接触し当該回転体４を回転させるための球接触部４１と、球載置部３２を掛止して入賞扉３が開位置３０２になることを阻止する回動阻止部４２とを有している。
【００２２】
上記入賞扉３と回転体４とは、図４、図６、図１１に示すごとく、球載置部３２に載置された遊技球８が、入賞扉３を開位置３０２から閉位置３０１へ回動させるときに、回転体４の球接触部４１に接触して回転体４を回転させる連動位置関係Ａ１を形成するよう構成されている。また、入賞扉３と回転体４とは、図１、図５、図７に示すごとく、球載置部３２から遊技球８が流出するときに、回転体４の回動阻止部４２が球載置部３２を掛止する掛止位置関係Ａ２を形成するよう構成されている。
以下に、これを詳説する。
【００２３】
本例の遊技球入賞装置１は、パチンコ遊技機に用いるものであり、パチンコ遊技機においてパチンコ遊技を行う遊技領域を形成する遊技盤の前面に配設される（図示略）。
なお、本例において、前方（前方側）とは、遊技球入賞装置１をパチンコ遊技機における遊技盤に配設したときに、遊技盤の前面に位置する方向（側）をいい、後方（後方側）とは、遊技盤の裏面に位置する方向（側）をいう。
【００２４】
図１、図５に示すごとく、本例のケース２は、遊技球入賞装置１をパチンコ遊技機における遊技盤の前面に取り付けるための前面部２３を有している。また、入賞口２１は、前面部２３に形成されており、球通路２２は、ケース２の内部に形成されている。また、上記入賞扉３、回転体４、レバー部材５及び制動部材６は、ケース２の内部に配設されている。
【００２５】
また、図９、図１０に示すごとく、入賞口２１は、横方向に長い横長形状を有しており、入賞扉３の扉本体部３１は、横長形状の入賞口２１に沿った横長形状を有している。
また、図１０、図１１に示すごとく、球通路２２は、入賞扉３の後方において横方向の一方側から他方側に向けて下方に緩やかに傾斜して形成された第１通路部２２１と、第１通路部２２１の下流端部２２３から下方に向けて形成された第２通路部２２２とを有している。
【００２６】
図１、図２に示すごとく、上記入賞扉３は、開位置３０２において、扉本体部３１を遊技盤の前面側に傾倒させて、入賞口２１を開けると共に、閉位置３０１において、扉本体部３１を遊技盤の前面と略平行に起立させて、入賞口２１を閉じるよう構成されている。
また、入賞扉３は、扉本体部３１の前面側に、閉位置３０１から開位置３０２へ回動するときの錘を形成する錘ストッパー３１１を有している。そして、入賞扉３は、錘ストッパー３１１の自重により閉位置３０１から開位置３０２へ回動することができ、開位置３０２へ回動したときには錘ストッパー３１１がケース２の前面と当接して当該扉本体部３１の傾斜角度が維持され、入賞扉３が開位置３０２に維持される。
【００２７】
また、入賞扉３の球載置部３２は、図２、図６に示すごとく、入賞扉３が開位置３０２にあるときには第１通路部２２１の下流端部２２３を閉じると共に、図１、図５に示すごとく、入賞扉３が閉位置３０１にあるときには第２通路部２２２内に回動して、第１通路部２２１の下流端部２２３を開口するよう構成されている。
また、図４、図６、図１１に示すごとく、回転体４の球接触部４１は、球通路２２の第２通路部２２２内に突出して、球載置部３２に載置されて、第２通路部２２２内を流下する遊技球８と接触するよう構成されている。
【００２８】
また、図１、図５、図９に示すごとく、ケース２の前方部２３の前面には、開位置３０２にある入賞扉３の扉本体部３１の上方から流下する遊技球８を、扉本体部３１へ導くための入賞ガイド２４が配設されている。この入賞ガイド２４は、遊技球８が通過する通過口２４１を有しており、入賞扉３が閉位置３０１にあるときには、扉本体部３１の上方から流下する遊技球８は、通過口２４１を通過して下方に流下する。
【００２９】
また、図１、図２、図７、図１０に示すごとく、入賞扉３の後方には、入賞口２１に入った遊技球８に押されて回動可能なストッパー部材３５が配設されている。このストッパー部材３５は、入賞口２１から球通路２２内へ入った遊技球８と接触して当該ストッパー部材３５を回動させるための接触カーテン部３５１と、接触カーテン部３５１から前方に向けて形成されたストッパー突起３５２とを有している。
【００３０】
そして、ストッパー部材３５は、図２に示すごとく、ストッパー突起３５２が開位置３０２にある入賞扉３の扉本体部３１と接触することにより、入賞扉３が不意に閉位置３０１に回動することを防止すると共に、図３に示すごとく、接触カーテン部３５１に遊技球８が当接することにより、後方に向けて回動し、ストッパー突起３５２による入賞扉３の回動防止状態を解除するよう構成されている。
【００３１】
また、図１、図１０に示すごとく、接触カーテン部３５１は、ストッパー部材３５の回動中心を形成する回動中心部３５３の下側に形成されており、その自重により下方に向けて垂れ下がるよう構成されている。また、接触カーテン部３５１は、入賞口２１の後方において、横方向におけるほぼ全体に形成されており、入賞口２１から球通路２２内に入った遊技球８が、入賞扉３の球載置部３２へ流下するまでの間、常に接触しているよう構成されている。
また、ストッパー突起３５２は、接触カーテン部３５１の横方向の一方端部から前方に向けて形成されている。
【００３２】
図５、図８に示すごとく、上記レバー部材５は、入賞扉３及び球通路２２の後方に配設されており、遊技球入賞装置１の上方から流下する遊技球８を受け止めるための球受部５１と、回転体４のレバー接触部４３を押圧するための押圧部５２とを有している。このレバー部材５は、球受部５１に遊技球８が流下したときに一方側に回動して、押圧部５２が回転体４のレバー接触部４３に接触して回転体４を回転させるよう構成されている。また、回転体４を回転させた後には、球受部５１に受けた遊技球８を遊技球入賞装置１の外部に流下させるよう構成されている。
【００３３】
また、図５、図８に示すごとく、レバー部材５は、回動の中心になる回動中心部５３を介して、球受部５１を形成した側とは反対側にウェイト部５４を有している。そして、球受部５１に遊技球８が載置されていないときには、押圧部５２を回転体４から退避させるよう構成されている。
また、レバー部材５は、ケース２の後方に配設した保護カバー２６によって覆われている。保護カバー２６には、球入口が形成されており、この球入口には、上方から流下する遊技球８をレバー部材５の球受部５１に導くための連動通路２５が接続される。
【００３４】
図８、図１０、図１２に示すごとく、上記回転体４は、上記球接触部４１及び回動阻止部４２以外にも、レバー部材５によって押圧されて当該回転体４を回転させるためのレバー接触部４３と、上記制動部材６と接触して当該回転体４の空回りを阻止する制動接触部４４とを有している。そして、回転体４は、球接触部４１、回動阻止部４２、レバー接触部４３及び制動接触部４４を一体的に備えてなる。
また、図１２に示すごとく、回転体４は、回転の中心となる回転中心軸４９を備えた円柱状部材４０の周りに、球接触部４１、回動阻止部４２、レバー接触部４３及び制動接触部４４をそれぞれ突起状に形成してなる。回転体４は、前方側から後方側に向けて順に、回動阻止部４２、制動接触部４４、球接触部４１及びレバー接触部４３を備えている。
【００３５】
上記回転体４は、図５、図７に示すごとく、回動阻止部４２が入賞扉３の球載置部３２を掛止し入賞扉３を閉位置３０１に維持する掛止回転位置４０１と、図６、図１１に示すごとく、回動阻止部４２が入賞扉３の球載置部３２の掛止を解除し入賞扉３を開位置３０２にする掛止解除回転位置４０２とに回転可能である。
【００３６】
そして、回転体４が掛止回転位置４０１にあるときには、図７、図８に示すごとく、レバー接触部４３には、レバー部材５の押圧部５２が接触可能である。また、回転体４が掛止解除回転位置４０２にあるときには、図６、図１１に示すごとく、球接触部４１には、球通路２２内を流下する（球載置部３２に載置された）遊技球８が接触可能である。
また、図１０に示すごとく、回転体４が掛止回転位置４０１及び掛止解除回転位置４０２のいずれの回転位置にあっても、制動接触部４４には制動部材６が接触しており、回転体４の意図しない回転が防止されている。
【００３７】
また、本例の遊技球入賞装置１は、入賞扉３が開位置３０２にあり、入賞口２１に複数個の遊技球８を入賞させた後、入賞扉３を閉じるよう構成されており、回転体４は、掛止回転位置４０１から回転した後、所定の角度ずつ複数回回転して再び掛止回転位置４０１に戻るよう構成されている。
【００３８】
また、図１２に示すごとく、本例の回転体４は、１回転当たり入賞扉３の開閉を２サイクル（入賞扉３の閉位置３０１の維持を２回）行うよう構成されており、回動阻止部４２及びレバー接触部４３は、回転体４の周方向に１８０°オフセットした２箇所にそれぞれ形成されている。また、本例の遊技球入賞装置１は、４個の遊技球８の入賞口２１への入賞を、入賞扉３の開閉の１サイクルとしている。そして、球接触部４１は、回転体４の周方向において、回動阻止部４２を形成した周方向位置同士の間に、所定角度の間隔をあけて複数（本例では４箇所ずつ、計８箇所）形成されている。また、制動接触部４４は、回転体４の周方向全周に等間隔に複数（本例では１０箇所）形成されている。
【００３９】
また、図７、図１２に示すごとく、回転体４は、掛止回転位置４０１にあるときには、球接触部４１が球通路２２内に突出しないよう構成されている。すなわち、回転体４は、球接触部４１を複数形成してなる周方向において、回動阻止部４２の軸方向に対向する部位には、球接触部４１を設けていない切欠き部４１１を有している。
これにより、仮に、４個目の遊技球８が球載置部３２に至るまでに、続けて５個目以降の遊技球８が入賞口２１に入賞した場合でも、４個目の遊技球８により回転体４は掛止回転位置４０１に回転し、５個目以降の遊技球８は回転体４を接触回転させることなく、球通路２２内を流下する。そのため、このような場合でも、遊技球入賞装置１は、４個の遊技球８の入賞を入賞扉３の開閉の１サイクルとして維持することができる。
【００４０】
図１０に示すごとく、上記制動部材６は、回転体４の制動接触部４４と接触する制動本体部６１と、この制動本体部６１を回転体４に向けて付勢する付勢バネ６２とを有している。そして、回転体４は、制動本体部６１が付勢バネ６２による付勢力を受けて制動接触部４４を押圧することにより、所定の回転位置に規制されており、空回りが防止されている。
【００４１】
また、本例の遊技球入賞装置１においては、上記入賞扉３と回転体４との係合構造及び配設位置関係に工夫を行っており、入賞扉３と回転体４とが上記連動位置関係Ａ１と上記掛止位置関係Ａ２とを形成するようにしている。
すなわち、図４、図６、図１１に示すごとく、入賞扉３と回転体４とが上記連動位置関係Ａ１を形成したときには、回転体４の球接触部４１は、入賞扉３の球載置部３２の回動軌跡内に配置され、球載置部３２に載置された遊技球８と接触するよう構成されている。また、図１、図５、図７に示すごとく、入賞扉３と回転体４とが上記掛止位置関係Ａ２を形成したときには、回転体４の回動阻止部４２は、閉位置３０１にある入賞扉３の球載置部３２に対向し、入賞扉３が開位置３０２へ回動することを阻止するよう構成されている。
【００４２】
次に、上記遊技球入賞装置１の動作及び作用効果につき説明する。
図５、図７に示すごとく、遊技球入賞装置１は、上記入賞扉３が閉位置３０１にあるときには、上記回転体４が掛止回転位置４０１にあり、入賞扉３は、回転体４によって開位置３０２に回動することが阻止されている。
すなわち、このときには、入賞扉３は、その球載置部３２が、回転体４の回動阻止部４２によって掛止されていることにより、閉位置３０１に維持されており、自重により開位置３０２へ回動することが阻止されている。
【００４３】
また、入賞扉３が閉位置３０１にあるときには、制動部材６の制動本体部６１が回転体４の制動接触部４４を押圧しており、回転体４の回転位置が掛止回転位置４０１に規制されている。
また、このときには、レバー部材５の押圧部５２が、回転体４のレバー接触部４３を押圧可能な状態にある。
【００４４】
次いで、図８に示すごとく、遊技者が遊技を行い、遊技盤における何らかの役物に遊技球８を入賞させたときには、遊技球入賞装置１の上方から連動通路２５を介してレバー部材５の球受部５１に遊技球８が流下する。このとき、レバー部材５は、球受部５１に載置された遊技球８の自重により回動し、その押圧部５２が回転体４のレバー接触部４３を押圧する。これにより、回転体４が掛止回転位置４０１から掛止解除回転位置４０２へ回転し、回転体４の回動阻止部４２が入賞扉３の球載置部３２を掛止する状態が解除される。
なお、レバー部材５は、回動して、球受部５１に載置された遊技球８を払い出した後には、ウェイト部５４の自重により、再び回動前の元の位置へ復帰する。
【００４５】
そして、図２、図６に示すごとく、入賞扉３は、その扉本体部３１及び錘ストッパー３１１の自重により、閉位置３０１から開位置３０２へ回動し、扉本体部３１が遊技盤の前面に傾倒する。このとき、ストッパー部材３５のストッパー突起３５２が入賞扉３の扉本体部３１に接触し、入賞扉３が何らかの衝撃等により不意に開位置３０２から閉位置３０１へ回動してしまうことが防止される。
こうして、入賞口２１が開口されると共に入賞扉３が開位置３０２に維持され、遊技球入賞装置１内に遊技球８が入賞可能な状態が形成される。また、球通路２２の第１通路部２２１の下流端部２２３が、入賞扉３の球載置部３２により閉じられ、球通路２２の第２通路部２２２には、回転体４の球接触部４１が突出する。
【００４６】
次いで、図２、図１０に示すごとく、遊技者が遊技を行い、入賞扉３の扉本体部３１に遊技球８が流下したときには、この遊技球８は入賞口２１から球通路２２内に入る。このとき、図３に示すごとく、扉本体部３１から球通路２２の第１通路部２２１に流下する遊技球８は、ストッパー部材３５の接触カーテン部３５１と接触し、ストッパー部材３５を後方に向けて回動させる。これにより、ストッパー部材３５のストッパー突起３５２も後方に移動し、入賞扉３が開位置３０２から閉位置３０１へ回動可能な状態が形成される。
【００４７】
そして、図４、図６、図１１に示すごとく、上記遊技球８が第１通路部２２１から入賞扉３の球載置部３２まで流下すると、入賞扉３と回転体４との連動位置関係Ａ１が形成され、球載置部３２に載置された遊技球８は、その自重により入賞扉３を回動中心部３３を中心にして開位置３０２から閉位置３０１へと回動させると共に、回転体４の球接触部４１に接触してこの回転体４を回転させる。そして、上記遊技球８は第２通路部２２２の払出口へと放出される。
【００４８】
その後、入賞口２１に遊技球８が入賞する毎に、回転体４は所定角度ずつ回転し、所定数の遊技球８を入賞口２１に入賞させることができる。本例においては、４個の遊技球８の入賞を入賞扉３の開閉の１サイクルとしており、４個の遊技球８が入賞口２１に入賞したときには、回転体４は、掛止解除回転位置４０２から掛止回転位置４０１へ回転する。
【００４９】
すなわち、４個目の遊技球８が入賞口２１に入賞し、入賞扉３の球載置部３２まで流下すると、入賞扉３と回転体４との連動位置関係Ａ１が再び形成され、球載置部３２に載置された遊技球８は、その自重により入賞扉３を回動中心部３３を中心にして開位置３０２から閉位置３０１へと回動させると共に、回転体４の球接触部４１に接触してこの回転体４を回転させる。このとき、図１、図７に示すごとく、回転体４が掛止解除回転位置４０２から掛止回転位置４０１へ回転することにより、掛止位置関係Ａ２が形成され、回転体４の回動阻止部４２が入賞扉３の球載置部３２を掛止する。
【００５０】
こうして、入賞扉３の球載置部３２に載置された遊技球８は、入賞扉３を開位置３０２から閉位置３０１に回動させると同時に、回転体４を回転させることができる。また、回転体４の回動阻止部４２は、上記遊技球８により入賞扉３が閉位置３０１に回動されている時間を利用して、瞬時に入賞扉３の球載置部３２を掛止することができる。
【００５１】
そのため、本例の遊技球入賞装置１は、上記入賞扉３と回転体４とが上記連動位置関係Ａ１と上記掛止位置関係Ａ２とを形成することにより、入賞扉３を開位置３０２から閉位置３０１へ迅速かつ確実に回動させることができ、安定して入賞扉３の開閉動作を行うことができる。
また、上記回転体４の回動阻止部４２は、球通路２２内を流下する遊技球８を載置して流下させる機能を有する球載置部３２を、直接掛止することができる。そのため、入賞扉３及び回転体４の構造を簡単にすることができる。
【００５２】
それ故、本発明の遊技球入賞装置１によれば、簡単な構造により、入賞扉３を開位置３０２から閉位置３０１へ迅速かつ確実に回動させることができ、安定して入賞扉３の開閉制御を行うことができる。
【図面の簡単な説明】
【００５３】
【図１】実施例における、入賞扉が閉位置にあり、入賞扉と回転体とが掛止位置関係を形成している状態の遊技球入賞装置を、側方から見た状態で示す断面説明図。
【図２】実施例における、開位置にある入賞扉の扉本体部に遊技球が流下した状態の遊技球入賞装置を、側方から見た状態で示す断面説明図。
【図３】実施例における、遊技球がストッパー部材を後方に回動させる状態の遊技球入賞装置を、側方から見た状態で示す断面説明図。
【図４】実施例における、入賞扉が開位置から閉位置へ回動し、入賞扉と回転体とが連動位置関係を形成している状態の遊技球入賞装置を、側方から見た状態で示す断面説明図。
【図５】実施例における、入賞扉が閉位置にあり、入賞扉と回転体とが掛止位置関係を形成している状態の遊技球入賞装置を、上方から見た状態で示す断面説明図。
【図６】実施例における、入賞扉が開位置にあり、入賞扉と回転体とが連動位置関係を形成する状態の遊技球入賞装置を、上方から見た状態で示す断面説明図。
【図７】実施例における、入賞扉が閉位置にあり、入賞扉と回転体とが掛止位置関係を形成している状態の遊技球入賞装置を、後方から見た状態で示す断面説明図。
【図８】実施例における、レバー部材が回転体を掛止回転位置から掛止解除回転位置へ回転させる状態の遊技球入賞装置を、後方から見た状態で示す断面説明図。
【図９】実施例における、入賞ガイドを配設した遊技球入賞装置を、前方から見た状態で示す正面説明図。
【図１０】実施例における、開位置にある入賞扉の扉本体部に遊技球が流下した状態の遊技球入賞装置を、前方から見た状態で示す断面説明図。
【図１１】実施例における、球通路内を遊技球が流下し、入賞扉と回転体とが連動位置関係を形成する状態の遊技球入賞装置を、後方から見た状態で示す断面説明図。
【図１２】実施例における、回転体を前方から見た状態で示す正面説明図。
【符号の説明】
【００５４】
１  遊技球入賞装置
２  ケース
２１  入賞口
２２  球通路
３  入賞扉
３０１  閉位置
３０２  開位置
３１  扉本体部
３２  球載置部
３３  回動中心部
３５  ストッパー部材
３５１  接触カーテン部
３５２  ストッパー突起
４  回転体
４０１  掛止回転位置
４０２  掛止解除回転位置
４１  球接触部
４２  回動阻止部
４３  レバー接触部
４４  制動接触部
５  レバー部材
５１  球受部
５２  押圧部
６  制動部材
８  遊技球
Ａ１  連動位置関係
Ａ２  掛止位置関係
【図１】
2006149799.tif 000003
【図２】
2006149799.tif 000004
【図３】
2006149799.tif 000005
【図４】
2006149799.tif 000006
【図５】
2006149799.tif 000007
【図６】
2006149799.tif 000008
【図７】
2006149799.tif 000009
【図８】
2006149799.tif 000010
【図９】
2006149799.tif 000011
【図１０】
2006149799.tif 000012
【図１１】
2006149799.tif 000013
【図１２】
2006149799.tif 000014